(57)【要約】 【課題】  カウンターの取り付け高さに拘わらずに共通の高さ寸法の足元キャビネットを組み込むことができるキャビネット構造を提供する。【解決手段】  カウンター４の下方には手洗い器キャビネット７が配置され、この手洗い器キャビネット７に隣接（前記カウンター４の下方）して足元キャビネット８が配置されている。足元キャビネット８の高さは前記カウンター４の取り付け高さに依存せずに、前記カウンター４の取り付け高さよりも低く設定されている。その結果、足元キャビネット８の上面とカウンター４の下面との間に小物を収納する空間９が形成される。【選択図】        図１
2008245879.tif 000002
【特許請求の範囲】
【請求項１】
トイレ室内の便器の側方に配設されるキャビネット構造において、前記便器の側方の壁面に沿ってカウンターが取り付けられ、このカウンターには手洗い器が固定され、この手洗い器の下方には手洗い器キャビネットが設けられ、また手洗い器を避けた箇所のカウンター下方には足元キャビネットが設けられ、前記手洗い器キャビネットの高さはカウンターの取り付け高さに依存して決定され、前記足元キャビネットの高さはカウンターの取り付け高さに依存せずに決定され、前記足元キャビネットの上面とカウンター下面との間に収納空間が形成されることを特徴とするトイレのキャビネット構造。
【請求項２】
請求項１に記載のトイレのキャビネット構造において、前記手洗い器キャビネットの側方の壁面に沿った長さと前記足元キャビネットの側方の壁面に沿った長さの合計長さよりも、前記カウンターの側方の壁面に沿った長さを大きくしたことを特徴とするトイレのキャビネット構造。
【請求項３】
請求項１に記載のトイレのキャビネット構造において、前記カウンター前縁には下方に垂下する幕板が設けられ、この幕板下端と前記手洗い器キャビネットの扉上端との間に形成される隙間を無くすために、前記幕板下端または前記手洗い器キャビネットの扉上端に連結部材を介して小幕板または小扉を付加したことを特徴とするトイレのキャビネット構造。
【発明の詳細な説明】
【技術分野】
【０００１】
本発明は、トイレ室内の大便器の側方の壁面に沿って配設されるカウンター下方のキャビネット構造に関する。
【背景技術】
【０００２】
比較的狭いトイレ空間を有効利用するため、従来から大便器の側方の壁面に沿ってカウンターと一体的になったキャビネットを配設する提案がなされている。（特許文献１及び特許文献２）
【０００３】
前記カウンターには物を置く他に、便器使用者のアームレストとして或いは手洗い器の固定部材としての用途もあり、特に手洗い器は使用者に応じて最適な高さが異なるため、それに応じて、カウンターの取り付け高さ位置を、７００ｍｍ、７５０ｍｍ、８００ｍｍの中から選定するようにしている。
【０００４】
【特許文献１】特開平７−３１５５３号公報
【特許文献２】特開平１０−３２８０７８号公報
【発明の開示】
【発明が解決しようとする課題】
【０００５】
上述したように、従来にあってはトイレのキャビネットはカウンターと一体的になっているため、カウンターの取り付け高さが３種類存在する場合には、３種類の高さのキャビネットを用意しておかなければならなかった。
【０００６】
特に、施工現場においてキャビネットの取り付け高さを変更することは、しばしば発生し、その都度、キャビネットを交換するのは施工効率が悪くなってしまう。
【課題を解決するための手段】
【０００７】
上記課題を解決するため本発明に係るキャビネット構造は、トイレ室内の便器の側方に配設されるキャビネット構造であって、前記便器の側方の壁面に沿ってカウンターが取り付けられ、このカウンターには手洗い器が固定され、この手洗い器の下方には手洗い器キャビネットが設けられ、また手洗い器を避けた箇所のカウンター下方には足元キャビネットが設けられ、前記手洗い器キャビネットの高さはカウンターの取り付け高さに依存して決定され、前記足元キャビネットの高さはカウンターの取り付け高さに依存せずに決定され、前記足元キャビネットの上面とカウンター下面との間に収納空間が形成される構造とした。
【０００８】
前記手洗い器キャビネットは手洗い器の配管を隠す役目があるため、その高さはカウンターの取り付け高さに依存して決定される。
また、足元キャビネットについては高さだけでなく側方の壁面に沿った長さについてもカウンターの寸法とは独立して決定することができる。
例えば、手洗い器キャビネットの側方の壁面に沿った長さと足元キャビネットの側方の壁面に沿った長さの合計長さよりも、カウンターの側方の壁面に沿った長さを大きくすることで、足元キャビネットの側方にも収納空間が形成される。
【０００９】
また、前記カウンター前縁に下方に垂下する幕板を設け、この幕板下端と前記手洗い器キャビネットの扉上端との間に形成される隙間を無くすために、前記幕板下端または前記手洗い器キャビネットの扉上端に連結部材を介して小幕板または小扉を付加する構造としてもよい。
【発明の効果】
【００１０】
本発明に係るトイレのキャビネット構造によれば、カウンター下方に配置される足元キャビネットの高さはカウンターの取り付け高さに依存せずに決定しているので、カウンターの取り付け高さに変更が生じても、そのまま足元キャビネットを使用することができる。
【００１１】
また、手洗い器キャビネットと足元キャビネットの合計長さ寸法（トイレの側壁に沿った長さ）よりカウンターの長さ寸法を大きく設定しておくことで、足元キャビネットの上面とカウンター下面との間だけでなく、足元キャビネットの側面とトイレの背面の壁面との間にも収納空間を形成することができて便利である。
【００１２】
更に、手洗い器キャビネットについては前記したように、手洗い器の配管を外から見えないようにするため、手洗い器キャビネットの前面扉の高さはカウンターの取り付け高さに依存することになるが、カウンターの前縁に設ける幕板の下端または手洗い器キャビネットの扉の上端に連結部材を介して小幕板または小扉を付加する構造とすれば、手洗い器キャビネットについても、カウンターの取り付け高さごとに用意する必要がなくなる。
【発明を実施するための最良の形態】
【００１３】
以下に本発明の実施例を添付図面に基づいて説明する。図１は本発明に係るキャビネット構造を適用したトイレ室内の斜視図、図２は同キャビネット構造を適用したトイレ室内の側面図、図３は同キャビネット構造を適用したトイレ室内の平面図、図４は同キャビネット構造を適用したトイレ室内の正面図である。
【００１４】
トイレの床面１上に大便器２が設置され、この大便器２の一方の側方の壁面３にカウンター４が取り付けられ、このカウンター４の大便器２から離れた端部寄りの箇所に手洗い器５が固定され、この手洗い器５を取り付けた位置の側壁面３に鏡６が取り付けられている。
【００１５】
前記カウンター４の下方には手洗い器キャビネット７が配置され、この手洗い器キャビネット７に隣接して、即ち前記カウンター４の下方で手洗い器５から外れた箇所に足元キャビネット８が配置されている。図示例では足元キャビネット８を２連で配置しているが、その数は任意である。
【００１６】
前記足元キャビネット８の高さは前記カウンター４の取り付け高さに依存せずに、前記カウンター４の取り付け高さよりも低く設定されている。その結果、足元キャビネット８の上面とカウンター４の下面との間に小物を収納する空間９が形成される。
【００１７】
また前記空間９を形成するカウンター４の下面にはレール１０が設けられ、このレール１０にペーパーホルダ１１がスライド可能に取り付けられ、便器使用者の使いやすい位置に設置できるようにしている。
【００１８】
また、前記カウンター４の壁面３に沿った長さＬ１は、手洗い器キャビネット７の壁面３に沿った長さＬ２と足元キャビネット８の壁面３に沿った長さＬ３の合計長さよりも長く設定している。その結果、足元キャビネット８の側面と背面側の壁面１２との間にも小物を収納する空間１３が形成される。この空間１３は、使用上死角となり見えないため、掃除ブラシや汚物入れ等の他人に見られたくない物を収納するのに最適である。
【００１９】
手洗い器キャビネット７は手洗い器から下方に延びる配管、止水栓および電気温水器を隠すためのものであるため、前面の扉の高さはカウンター４の高さに依存し、カウンター４の取り付け高さに合わせて複数の寸法の扉を用意しておかなければならない。これを解消した構造が図５または図６に示す構造である。
【００２０】
図５に示す構造では、カウンター４の前縁にアングル材１４を介して幕板１５を取り付け、この幕板１５の下端に連結部材１６を介して小幕板１７を取り付け、手洗い器キャビネット７の扉１８の上端との間に上下方向の隙間が生じないようにしている。
【００２１】
図６に示す構造では、手洗い器キャビネット７の扉１８の上端に連結部材１９を介して小扉２０を取り付け、幕板１５の下端との間に上下方向の隙間が生じないようにしている。
【図面の簡単な説明】
【００２２】
【図１】本発明に係るキャビネット構造を適用したトイレ室内の斜視図
【図２】同キャビネット構造を適用したトイレ室内の側面図
【図３】同キャビネット構造を適用したトイレ室内の平面図
【図４】同キャビネット構造を適用したトイレ室内の正面図
【図５】（ａ）はカウンターの幕板の継ぎ足し構造を説明した正面図、（ｂ）は側面図
【図６】（ａ）は手洗い器キャビネットの扉の継ぎ足し構造を説明した正面図、（ｂ）は側面図
【符号の説明】
【００２３】
１…床面、２…大便器、３…壁面、４…カウンター、５…手洗い器、６…鏡、７…手洗い器キャビネット、８…足元キャビネット、９…収納空間、１０…レール、１１…ペーパーホルダ、１２…背面側の壁面、１３…収納空間、１４…アングル材、１５…幕板、１６…連結部材、１７…小幕板、１８…手洗い器キャビネットの扉、１９…連結部材、２０…小扉、Ｌ１…カウンターの壁面に沿った長さ、Ｌ２…手洗い器キャビネットの壁面に沿った長さ、Ｌ３…足元キャビネットの壁面に沿った長さ。
【図１】
2008245879.tif 000003
【図２】
2008245879.tif 000004
【図３】
2008245879.tif 000005
【図４】
2008245879.tif 000006
【図５】
2008245879.tif 000007
【図６】
2008245879.tif 000008